(57)【要約】  筋膜のトリガーポイント、および、経穴刺激器を提供する。筋膜のトリガーポイント、および、経穴刺激器が提供され、流体噴出装置を接続し、ベース、および、少なくとも一つの接触部材を有する。ベースは伝送チャネルを有する。接触部材は、可動で前記ベース上に設置されるとともに、噴出チャネルを有し、接触部材の末端は、皮膚表面と直接接触するとともに、前記部材は、閉位置と連通位置間で切り換え可能である。接触部材が、ベースに対して、閉位置から連通位置に移動するとき、接触部材の噴出チャネルが、非連通伝送チャネルから、連通伝送チャネルに変化して、流体噴出装置により提供される流体を噴出するとともに、加圧された流体が、直接、皮膚表面に作用して、皮膚表面、あるいは、皮膚深層のトリガーポイントや経穴を刺激する。
2022502123.tif 000002
【特許請求の範囲】
【請求項１】
筋膜のトリガーポイント、および、経穴刺激器であって、流体噴出装置を接続するとともに、流体圧力を、前記筋膜のトリガーポイント、および、経穴刺激器と直接接触する皮膚表面に伝達し、前記刺激器は、
伝送チャネルを有するベース、および、
可動で前記ベース上に設置されるとともに、噴出チャネルを有する少なくとも一つの接触部材、を有し、
前記接触部材の末端は、皮膚表面と直接接触し、且つ、前記接触部材は、閉位置と連通位置間で切り換え可能であり、
前記接触部材が、前記ベースに対して、前記閉位置から前記連通位置に移動するとき、前記接触部材の前記噴出チャネルは、前記伝送チャネルと非連通状態から、前記伝送チャネルと連通状態に変化して、前記流体噴出装置により提供される前記流体を、前記皮膚表面に噴出することを特徴とする筋膜のトリガーポイント、および、経穴刺激器。
【請求項２】
前記ベースは、ベース本体、および、固定管を有し、前記固定管は前記ベース本体上に設置され、且つ、前記伝送チャネルは前記固定管を通過し、前記接触部材は、前記固定管に可動で設置されることを特徴とする請求項１に記載の筋膜のトリガーポイント、および、経穴刺激器。
【請求項３】
さらに、前記固定管の端部に設置される停止環を有し、前記接触部材が前記閉位置にある時、前記噴出チャネルの入口は、前記停止環の一側に位置し、且つ、前記停止環により止められて、前記伝送チャネルと連通せず、また、前記接触部材が前記連通位置にある時、前記入口は、前記停止環を通過して前記停止環のもう一側に達し、前記伝送チャネルと連通することを特徴とする請求項２に記載の筋膜のトリガーポイント、および、経穴刺激器。
【請求項４】
前記接触部材の前記噴出チャネルは、Ｌ字型、あるいは、Ｔ字型構造を有し、前記接触部材が前記閉位置にある時、前記停止環は、前記入口よりも前記ベース本体に近く、前記接触部材が前記連通位置にある時、前記入口は、前記停止環より前記ベース本体に近いことを特徴とする請求項３に記載の筋膜のトリガーポイント、および、経穴刺激器。
【請求項５】
さらに、前記固定管周りに設置されるとともに、前記固定管と前記接触部材を接続して、前記接触部材を、前記固定管上で滑動可能にする弾性部材を有することを特徴とする請求項２に記載の筋膜のトリガーポイント、および、経穴刺激器。
【請求項６】
さらに、前記固定管の外表面周りに設置され、前記接触部材と前記固定管間に位置し、且つ、前記接触部材の内壁と隣接する密封環を有することを特徴とする請求項２に記載の筋膜のトリガーポイント、および、経穴刺激器。
【請求項７】
さらに、複数の前記接触部材を有し、前記の各接触部材は中心軸を有し、前記接触部材の隣接する前記中心軸間に、６０度、あるいは、９０度が形成されることを特徴とする請求項３に記載の筋膜のトリガーポイント、および、経穴刺激器。
【請求項８】
前記接触部材は、部分的に前記ベース中に挿入される複数の可動管を有し、前記可動管は前記ベースに対して可動であるとともに、前記閉位置と前記連通位置間で切り換え可能であり、
前記可動管が前記閉位置にある時、前記可動管の前記噴出チャネルの各入口は、前記ベースのケーシングによりブロックされ、
前記可動管が前記閉位置にある時、前記可動管の各噴出チャネルは、前記ベースの前記伝送チャネルと連通することを特徴とする請求項１に記載の筋膜のトリガーポイント、および、経穴刺激器。
【請求項９】
前記接触部材はさらに、前記可動管上に設置される隣接ユニットを有し、前記隣接ユニットは、シリコン、ゴム、あるいは、熱可塑性エラストマーを有することを特徴とする請求項８に記載の筋膜のトリガーポイント、および、経穴刺激器。
【請求項１０】
さらに、前記可動管間に設置されると共に、前記隣接ユニットと前記ベースを接続する弾性部材を有し、前記可動管は、前記弾性部材により、前記閉位置と前記連通位置間で切り換え可能であることを特徴とする請求項９に記載の筋膜のトリガーポイント、および、経穴刺激器。
【請求項１１】
前記ベース上に設置され、前記皮膚表面を吸着する吸盤を有することを特徴とする請求項１に記載の筋膜のトリガーポイント、および、経穴刺激器。
【発明の詳細な説明】
【技術分野】
【０００１】
本発明は、筋膜のトリガーポイント（myofascial Trigger point）、および、経穴（acupuncture point）刺激器（stimulator）に関するものであって、特に、人の皮膚を刺激する筋膜のトリガーポイント、および、経穴刺激器に関するものである。
【背景技術】
【０００２】
科学技術の発展に伴い、医療設備も進歩し、たとえば、“体外衝撃波”治療（Extracorporeal shock wave therapy，ESWT）技術が生まれ、いわゆる“体外衝撃波”というのは、機械波を利用して、エネルギーを皮膚深層組織に伝達して、各種作用を生成するものであり、たとえば、組織部位の生長因子の釈放や血液循環の増加を促して、組織修復を達成し、痛みを緩和させると同時に、人体の各種皮膚下のトリガーポイント（trigger point）と経穴を按摩刺激する。しかし、体外衝撃波は人体を刺激することができるが、その本質上、流体を人体の皮膚に接触させることや、皮膚表面に進入させて、流体による相関治療や刺激が行えない。よって、どのように、人体皮膚にさらによいトリガーポイントと経穴刺激装置を提供するかが重要な課題である。
【発明の概要】
【発明が解決しようとする課題】
【０００３】
本発明の一実施例は、筋膜のトリガーポイント、および、経穴刺激器を提供し、流体噴出装置を接続するとともに、流体圧力を、筋膜のトリガーポイント、および、経穴刺激器と直接接触する皮膚表面に伝達する。刺激器は、ベース、および、少なくとも一つの接触部材を有する。ベースは、伝送チャネルを有する。接触部材は、可動でベース上に設置されるとともに、噴出チャネルを有する。接触部材の末端は、皮膚表面と直接接触する。接触部材は、閉位置と連通位置間で切り換え可能である。接触部材が、ベースに対して、閉位置から連通位置に移動するとき、接触部材の噴出チャネルは、非連通伝送チャネルから、連通伝送チャネルに変化して、流体噴出装置により提供される流体を、皮膚表面に噴射する。
【課題を解決するための手段】
【０００４】
一実施形態において、ベースは、本体、および、固定管を有する。固定管は本体上に設置される。伝送チャネルは固定管を通過する。接触部材は、固定管に可動で設置される。
【０００５】
一実施形態において、筋膜のトリガーポイント、および、経穴刺激器はさらに、固定管の端部に設置される停止環を有する。接触部材が閉位置にある時、噴出チャネルの入り口は、停止環の一側に位置するとともに、停止環により止められて、伝送チャネルと連通しない。接触部材が連通位置にある時、入口は、停止環を通過して、停止環のもう一端に達し、伝送チャネルと連通する。
【０００６】
一実施形態において、接触部材の噴出チャネルは、Ｌ字型、あるいは、Ｔ字型構造を有する。接触部材が閉位置にある時、停止環は、入口よりも本体に近い。接触部材が連通位置にある時、入口は、停止環よりも本体に近い。
【０００７】
一実施形態において、筋膜のトリガーポイント、および、経穴刺激器はさらに、固定管周辺に設置されるとともに、固定管と接触部材を接続して、接触部材を固定管上で滑動可能にする弾性部材を有する。
【０００８】
一実施形態において、筋膜のトリガーポイント、および、経穴刺激器はさらに、固定管の外表面周辺に設置される密封環を有する。密封環は、接触部材と固定管間に位置する。密封環は、接触部材の内壁に隣接する。
【０００９】
一実施形態において、筋膜のトリガーポイント、および、経穴刺激器はさらに、複数の接触部材を有する。各接触部材は中心軸を有する。接触部材の隣接する中心軸間に、６０度、あるいは、９０度が形成される。
【００１０】
一実施形態において、接触部材は、ベースに部分的に挿入される複数の可動管を有する。可動管はベースに対して可動であるとともに、閉位置と連通位置間で切り換え可能である。可動管が閉位置にある時、可動管の噴出チャネルの各入口は、ベースのケーシングによりブロックされる。可動管が閉位置にある時、可動管の各噴出チャネルは、ベースの伝送チャネルと連通する。
【００１１】
一実施形態において、接触部材はさらに、可動管上に設置される隣接ユニットを有し、隣接ユニットは、シリコン、ゴム、あるいは、熱可塑性エラストマー（ＴＰＥ）で形成される。
【００１２】
一実施形態において、筋膜のトリガーポイント、および、経穴刺激器はさらに、可動管間に設置され、隣接ユニットとベースを接続する弾性部材を有する。可動管は、弾性部材により、閉位置と連通位置間で切り換え可能である。一実施形態において、筋膜のトリガーポイント、および、経穴刺激器はさらに、ベースに設置され、皮膚表面を吸着する吸盤を有する。
【発明の効果】
【００１３】
本発明は、接触部材の閉位置と連通位置間の切り換えにより、噴出チャネルと伝送チャネルを連通、あるいは、非連通にして、人体のトリガーポイント、経穴刺激の便利性を向上させるとともに、複数の可動の接触部材を設置する接触アセンブリが、人体皮膚表面への貼合性を増加させて、人体局部区域への噴出効果を向上させることができる。このほか、接触部材は、直接ベース上に設置されて、組み立ての難度とコストを減少させることができる。
【００１４】
後続の詳細な記述と例、および、添付図面を読むことにより、本発明が十分に理解できる。
【図面の簡単な説明】
【００１５】
【図１】本発明の一実施形態による筋膜のトリガーポイント、および、経穴刺激器と噴出装置を示す図である。
【図２】図１の筋膜のトリガーポイント、および、経穴刺激器の断面図である。
【図３】連通位置にある接触アセンブリの接触部材の一つの断面図である。
【図４】皮膚表面に貼合した複数の接触部材を示す図である。
【図５Ａ】本発明のもう一つの実施形態による筋膜のトリガーポイント、および、経穴刺激器を示す図である。
【図５Ｂ】本発明のもう一つの実施形態による筋膜のトリガーポイント、および、経穴刺激器を示す図である。
【図５Ｃ】本発明のもう一つの実施形態による筋膜のトリガーポイント、および、経穴刺激器を示す図である。
【図５Ｄ】本発明のもう一つの実施形態による筋膜のトリガーポイント、および、経穴刺激器を示す図である。
【図６】複数の筋膜のトリガーポイント、および、経穴刺激器装を搭載型噴出装置に設置することにより構成されるトリガーポイントと経穴刺激システムを示す図である。
【図７】本発明のもう一つの実施形態による筋膜のトリガーポイント、および、経穴刺激器を示す図である。
【図８】接触アセンブリの接触部材と局部ベースを示す図である。
【図９】閉位置にあるベースに設置された接触部材の断面図である。
【図１０】ベースに相対する連通位置にある接触部材の断面図である。
【発明を実施するための形態】
【００１６】
本発明で開示される装置が適用するその他の領域は、後続の詳細中で理解できる。注意すべきことは、以下の詳細、および、具体的な実施形態は、相関する搭載アセンブリの範例を提供するとき、単なる描写目的であり、本発明の範囲を制限するものではないことである。
【００１７】
別に定義されない限り、ここで用いられる全用語（技術、および、科学用語を含む）は、当業者により普通に理解されるものと同じ意義を有する。さらに理解できることは、たとえば、辞書により通常定義される用語は、相関技術の上下文中で、同じ意味を有すると解釈されるべきであり、特に定義されない限り、理想化、または、過度に正式な意味として解釈されない。
【００１８】
図１を参照すると、図１は、本発明の一実施形態による筋膜のトリガーポイント、および、経穴刺激器１と流体噴出装置９００を示す図である。図１に示されるように、経穴刺激器１は、人体のトリガーポイント、経穴、および、皮膚に刺激を与える刺激装置であり、ベース１０、および、接触アセンブリ２０を有する。流体噴出装置９００は、薬用の流体を搭載した噴出装置であり、流体を、皮膚、トリガーポイントや経穴に噴出する。流体は、気体成分、および／または、液体成分、たとえば、水素、酸素、窒素、二酸化炭素、オゾン、亜酸化窒素（nitrous oxide）、あるいは、その他の適当な麻醉気体、あるいは、液体を有する。筋膜のトリガーポイント、および、経穴刺激器１は、流体噴出装置９００前端に装着し、人体の経穴、皮膚に刺激作用を施すことができる。流体噴出装置９００内の流体は、筋膜のトリガーポイント、および、経穴刺激器１を経て、人体の経穴と皮膚に達する。注意すべきことは、流体噴出装置９００は、図１に示されるタイプに限定されず、その他のタイプでもよく、たとえば、箱型の噴出装置が細長い接続管を有し、筋膜のトリガーポイント、および、経穴刺激器１を接続する。以下で、前述の筋膜のトリガーポイント、および、経穴刺激器１の構造を詳細に説明する。
【００１９】
図１、および、図２の筋膜のトリガーポイント、および、経穴刺激器１を参照すると、図２は、筋膜のトリガーポイント、および、経穴刺激器１の断面図である。注意すべきことは、簡潔、且つ、はっきりと表示するために、図２では、三個の接触部材２０１を説明する。筋膜のトリガーポイント、および、経穴刺激器１は、主に、ベース１０、および、接触アセンブリ２０を有する。ベース１０は、ベース本体１０１、および、固定管アセンブリ１０２を有し、固定管アセンブリ１０２は、ベース本体１０１上に固定されるとともに、ベース本体１０１から突出する。固定管アセンブリ１０２は、複数の（本実施形態においては１３個の）固定管１０２１を有し、各固定管１０２１は、細長い構造を有する。接触アセンブリ２０は、複数の細長い接触部材２０１を有し、その数量は、上述の固定管１０２１と等しく、且つ、各接触部材２０１は、少なくとも一つの固定管１０２１に対応し、接触部材２０１は固定管１０２１上に設置されて、接触部材２０１の末端２０１Ｃは、直接、人体の皮膚に接触する。
【００２０】
筋膜のトリガーポイント、および、経穴刺激器１は、さらに、弾性部材Ｅを有し、固定管１０２１の外表面１０２１Ｒに設置される、あるいは、固定管１０２１は弾性部材Ｅ内に位置し、それはばねである。Ｚ軸方向上で、弾性部材Ｅは、接触部材２０１と固定管１０２１の間に位置する。接触部材２０１は、弾性部材Ｅにより、固定管１０２１上に可動で設置される。
【００２１】
詳細には、接触部材２０１は、可動管となり、管体２０１１、および、延伸部２０１２を有する。延伸部２０１２は管体２０１１内に固定され、且つ、延伸部２０１２の末端は、部分的に、固定管１０２１中に設置され、Ｚ軸方向上で、延伸部２０１２と固定管１０２１は、少なくとも部分的に重畳し、且つ、両者の間にギャップＧがある。
【００２２】
ベース１０は、ベース本体１０１内に位置し、且つ、各固定管１０２１を貫通する伝送チャネルＣＬ１を有し、接触部材２０１の延伸部２０１２の一部は、伝送チャネルＣＬ１中に設置され、且つ、延伸部２０１２は、Ｌ字型構造の噴出チャネルＣＬ２を有する。
【００２３】
筋膜のトリガーポイント、および、経穴刺激器１は、さらに、固定管１０２１の端部に設置される停止環Ｂ１を有し、伝送チャネルＣＬ１中の気体や液体が、噴出チャネルＣＬ２に進入するのを停止し、停止環Ｂ１のさらに詳細な作用は、後述する。ベース本体１０１内に、一方弁（図示しない）を有して、伝送チャネルＣＬ１を接続して、気体や液体を、単一方向で、ベース本体１０１から進入させて、効果的に、回流状況の発生を防止する。
【００２４】
図３は、接触アセンブリ２０中の一個の接触部材２０１（図３の最上方の接触部材２０１）が連通位置にあり、その他の接触部材２０１が閉位置にあることを示す図である。前述の接触部材２０１は、ベース１０の固定管１０２１に対し、閉位置と連通位置間で切り換えることができる。詳細には、接触部材２０１に力Ｆ１が加えられるとき、接触部材２０１は、方向Ｄ１に沿って、ベース１０に対して移動し、固定管１０２１に沿って、ベース本体１０１に接近し、この時、接触部材２０１の延伸部２０１２の噴出チャネルＣＬ２の入口Ｑ１が、停止環Ｂ１を越えて、入口Ｑ１が、停止環Ｂ１の一側Ｓ１を越えて、もう一側Ｓ２に達し、入口Ｑ１は、停止環Ｂ１よりベース本体１０１に接近する。噴出チャネルＣＬ２が伝送チャネルＣＬ１に連通し、これにより、伝送チャネルＣＬ１中の気体や液体が、噴出チャネルＣＬ２を通過して、噴出チャネルＣＬ２の出口Ｑ２から噴出し、人体の皮膚、トリガーポイント、あるいは、経穴を刺激することができる。
【００２５】
同様に、接触部材２０１に加えられる力Ｆ１が消失するとき、弾性部材Ｅの回復弾力により、接触部材２０１を閉位置に回復させ、この時、接触部材２０１の噴出チャネルＣＬ２は、ベース本体１０１を離れる方向に移動し、即ち、方向Ｄ２に沿って、もう一側Ｓ２から一側Ｓ１に回復する。噴出チャネルＣＬ２の入口Ｑ１が停止環Ｂ１により止められ、図２に示されるように、伝送チャネルＣＬ１中の気体や液体が、もう、噴出チャネルＣＬ２に連通することができなくなり、よって、噴出チャネルＣＬ２の出口Ｑ２が、気体や液体を噴出しなくなる。
【００２６】
これにより、接触部材２０１を可動でベース１０上に設置するとともに、圧力が加えられるか否かにより、閉位置と連通位置間で切り換え可能なので、接触部材２０１が伸縮して、気体や液体の噴出を制御し、よって、使用の便宜性を大幅に向上させる。このほか、図４に示されるように、噴出チャネルＣＬ２の入口Ｑ１が、停止環Ｂ１を越えるだけで、噴出チャネルＣＬ２が伝送チャネルＣＬ１に連通して、気体や液体が導通して噴出するので、接触部材２０１は、凹凸がある皮膚に適応して、気体や液体を伝達し、皮膚表面ＳＳに十分にフィットして有効な接触を達成することができ、よって、使用の汎用性を増加させる。
【００２７】
よって、本実施形態は、接触部材２０１の伝送チャネルＣＬ２により、流体を加圧し、直接、皮膚に接触させて、流体圧力を短時間で、直接、皮膚表面に作用させるとともに、皮膚深層の筋膜、神経、筋肉、あるいは、関節等のトリガーポイントや経穴を刺激する。この一実施形態の方式は、従来の体外衝撃波技術と比較すると、流体圧力が生成する機械エネルギー作用以外に、皮膚に与えられる流体分子自身の組織に対して生成される作用もあるので、刺激器の效果を大幅に向上させる。
【００２８】
このほか、本実施形態において、固定管１０２１外側で、接触部材２０１の管体２０１１の内壁ＩＷと固定管１０２１の外表面１０２１Ｒが、密封環Ｂ２を有して、さらに、流体が誤って流動したり、流出したりするのを防止する。たとえば、停止環Ｂ１が、ギャップＧを完全には密合／遮蔽していない時、流体が停止環Ｂ１を通過して、直接、管体２０１１の空間ＳＰに流入する可能性があり、この時、密封環Ｂ２の設置により、流体が弾性部材Ｅを設置した空間中に進入するのを阻止、あるいは、更に流出させずに、少なくとも空間ＳＰ中で保持して、再度、停止環Ｂ１を通過して、入口Ｑ１に流入させ、正常な流動方向にすることができる。
【００２９】
理解すべきことは、本実施形態において、前述の接触アセンブリ２０は、複数（１３個）接触部材２０１があり、ハチの巣状に描かれているが、その他の実施形態において、接触アセンブリ２０は、その他の数量の接触部材２０１、たとえば、五個、七個（図５Ａ、図５Ｂで示される筋膜のトリガーポイント、および、経穴刺激器１’、１’’）、あるいは、その他の適当な数量であってもよく、ベース１０の固定管アセンブリ１０２の固定管１０２１数量も、対応して設置される。数量が五個の接触部材２０１は、相隣する接触部材２０１の中心軸Ｃをつなぐ線（点線）の挟角は６０度、あるいは、９０度である。数量が七個の接触部材２０１は、相隣する接触部材２０１の中心軸Ｃをつなぐ線の挟角は６０度である。いくつかの実施形態において、相隣する接触部材２０１の中心軸Ｃをつなぐ線の挟角は、６０〜９０度である。いくつかの実施形態において、接触アセンブリ２０は、一個の接触部材２０１だけを有してもよく、一個の固定管１０２１のベース１０と組み合わせても、人体の皮膚、トリガーポイント、および、経穴刺激の效果が達成される。
【００３０】
このほか、本実施形態において、接触部材２０１の噴出チャネルＣＬ２は、Ｌ字型構造をなす。もう一つの実施形態において、噴出チャネルＣＬ２は、Ｔ字型構造をなし、つまり、噴出チャネルＣＬ２の上下両側（Ｚ軸方向）はそれぞれ、一個の入口Ｑ１を有する。連通位置にある時、噴出チャネルＣＬ２の二個の入口は、どちらも、停止環Ｂ１を越えて、伝送チャネルＣＬ１と導通し、流体を噴出チャネルＣＬ２に流入させて、出口Ｑ２から噴出させる。
【００３１】
別の実施形態において、図５Ｃ、および、図５Ｄの筋膜のトリガーポイント、および、経穴刺激器１’’’と１’’’’は、ベース１０に設置される一個、あるいは、複数の吸盤４０１、たとえば、負圧式真空吸盤を有する。接触アセンブリ２０の複数の接触部材２０１中の一個、あるいは、複数個が所在する位置は、吸盤４０１の設置に変更して、皮膚表面を吸着することができる。たとえば、図５Ａ中の中心位置の接触部材２０１は、一個の吸盤４０１の設置に変更できる。図５Ｃに示されるように、接触部材２０１は、吸盤４０１周りに設置される。あるいは、各接触部材２０１は、相隣する吸盤４０１を設置し（図５Ｄに示されるように三個の吸盤４０１）、つまり、各接触部材２０１の相隣位置に、一個の吸盤４０１を設置する。よって、筋膜のトリガーポイント、および、経穴刺激器１が皮膚表面ＳＳに接触するとき、吸盤４０１で皮膚を吸着して、筋膜のトリガーポイント、および、経穴刺激器１が揺れる、あるいは、シフトしないように固定し、さらに、筋膜のトリガーポイント、および、経穴刺激器１の使用便宜性を強化し、また、刺激を増強することができる。
【００３２】
いくつかの実施形態において、吸盤４０１の長さは、前述の接触部材２０１の長さ（Ｘ軸）と同じで、且つ、伸縮機能を有し、即ち、接触部材２０１の伸縮に伴い、皮膚表面ＳＳにぴったりと接触する。吸盤４０１は負圧チャンバを接続することができ、チャンバが負圧を有するとき、吸盤４０１を皮膚に貼接することができる。
【００３３】
図６は、複数の筋膜のトリガーポイント、および、経穴刺激器１を、搭載型流体噴出装置９００’に装着して構成されたトリガーポイント、および、経穴刺激システム１０００を示す図である。搭載型流体噴出装置９００’はベッドのマットで、噴出システムＪＲを配置し、外部の流体を供給する装置（図示しない）と連通する。複数の筋膜のトリガーポイント、および、経穴刺激器１は、搭載型流体噴出装置９００’表面上に設置され、筋膜のトリガーポイント、および、経穴刺激器１のベース１０は、搭載型流体噴出装置９００’内部に埋設されるとともに、接触部材２０１’を露出し、且つ、ベース１０の伝送チャネルＣＬ１は、噴出システムＪＲと連通して、流体を伝送チャネルＣＬ１に流す。
【００３４】
人体が、このトリガーポイント、および、経穴刺激システム１０００上に横たわる、あるいは、座るとき、筋膜のトリガーポイント、および、経穴刺激器１により、人体の臀部、太もも、手部、頭部、頸部、背部（これらに限定されない）等を押すとともに、前述の伝送チャネルＣＬ１が噴出チャネルＣＬ２と連通する方式によって、トリガーポイントと経穴を押す流体が噴出して、刺激の效果を達成する。人体が起き上がり、トリガーポイント、および、経穴刺激システムを離れるとき、伝送チャネルＣＬ１は噴出チャネルＣＬ２と連通しないので、流体供給を停止する。これにより、人体の各部位にぴったりとフィットして、効果的なトリガーポイント、経穴刺激を達成するだけでなく、人体がシステムから離れれば、流体供給も停止されるので、使用の便宜性を大幅に改善させるとともに、抵抗が接触点よりはるかに小さすぎて、加圧流体の大部分が漏れたり、未接触点から流出したりしてしまうのを回避することができる。その他の実施形態において、筋膜のトリガーポイント、および、経穴刺激器１は、別のタイプの噴出装置９００’と組み合わせて、別のトリガーポイント、および、経穴刺激システムを構成することができ、たとえば、座椅子式噴出装置と組み合わせると、使用者が、このトリガーポイント、および、経穴刺激システムに座って刺激を受ける、あるいは、枕式噴出装置と組み合わせると、使用者は、このシステム上に横たわって刺激を受けることができる。
【００３５】
図７は、本発明のもう一つの実施形態による筋膜のトリガーポイント、および、経穴刺激器２を示す図である。筋膜のトリガーポイント、および、経穴刺激器２は、同様に、人体の経穴や皮膚を刺激する刺激装置であり、ベース１０’、および、接触アセンブリ２０’を有する。接触アセンブリ２０’は、人体のトリガーポイント、経穴や皮膚に接触するとともに、ベース１０’からの、あるいは、その中に保存された医療用流体を、人体に噴射する。以下で、ベース１０’、接触アセンブリ２０’の詳細な構造を説明する。
【００３６】
図８、および、図９を同時に参照すると、図８は、前述の接触アセンブリ２０’の接触部材２０１’と局部ベース１０’を示す図であり、図９は、ベース１０’に設置される接触部材２０１’の断面図である。本実施形態において、接触アセンブリ２０’は複数の接触部材２０１’を有し、各接触部材２０１’は、ベース１０’の内部に挿入される複数（二個の）可動管２０１１’を有し、可動管２０１１’のベース１０’に近い端部は、突出構造（ＸＹ平面）２０１１１’を有して、ベース１０’に係合し、突出構造は、ナット等を有する構造、あるいは、ベース１０’に係合できるその他の適当な構造である。ベース１０’から離れるもう一端部は、隣接ユニット２０１３’を設置して、人体の皮膚表面に貼接する。隣接ユニット２０１３’は、シリコン（silicone）、ゴム、あるいは、熱可塑性エラストマー（ＴＰＥ）等の材質を有する。本実施形態において、隣接ユニット２０１３’は四辺構造であり、いくつかのその他の実施形態において、隣接ユニット２０１３’は三角形、五角形等、多辺形構造を有する。
【００３７】
二個の可動管２０１１’の間に、弾性部材Ｅ’（圧縮ばね）を設置する。筋膜のトリガーポイント、および、経穴刺激器２はさらに、定位環アセンブリ３０を有し、定位環アセンブリ３０は、上定位環３１、および、下定位環３２を有し、それぞれ、隣接ユニット２０１３’とベース１０’に設置され、且つ、上、下定位環３１、３２は、弾性部材Ｅ’の外周に位置して、弾性部材Ｅ’を定位させる。停止環Ｂ１は、ベース１０’のケーシング１０Ｆ’内に設置されて、可動管２０１１’の外表面を囲む。
【００３８】
前述の実施形態１と比較すると、本実施形態中の接触部材２０１’（あるいは、その可動管２０１１’）は、直接、ベース１０’内に挿入され、ベース１０’は、前述の実施形態中の固定管を有さないので、生産コストを減少させ、組み立て難度を低下させることができる。
【００３９】
図１０を参照すると、力Ｆ２が加えられて、接触部材２０１’を押すとき、接触部材２０１’の可動管２０１１’がベース１０’内部に移動し、弾性部材Ｅ’が圧縮され、この時、可動管２０１１’の噴出チャネルＣＬ２’の入口Ｑ１が、ベース１０’内の伝送チャネルＣＬ１’に連通して、流体は、停止環Ｂ１により停止されずに流れる。よって、流体は、伝送チャネルＣＬ１’から噴出チャネルＣＬ２’に流れるとともに、その出口Ｑ２から噴出する。
【００４０】
同様に、力Ｆ２が消失するとき、圧縮された弾性部材Ｅ’が、接触部材２０１’の隣接ユニット２０１３’に対して弾性回復力を与えて、接触部材２０１’を、ベース１０’に対して元の位置に回復させ（図９に示される）、この時、噴出チャネルＣＬ２’の入口Ｑ１は、伝送チャネルＣＬ１’と連通せず、停止環Ｂ１とベース１０’のケーシング１０Ｆ’によりブロック、および、被覆され、よって、出口Ｑ２から流体が噴出するのを停止することができる。
【００４１】
本実施形態による筋膜のトリガーポイント、および、経穴刺激器２も、図６の搭載型噴出装置９００’と組み合わせて、別のトリガーポイント、および、経穴刺激システムを構成することができる。たとえば、同様、あるいは、類似する方式で、ベース１０’を、搭載型噴出装置９００’内部に埋設して、接触部材２０１’を露出する。人体がシステムにもたれたり、乗ったりするとき、押された接触部材２０１’が下向けに移動して、噴出チャネルＣＬ２’と伝送チャネルＣＬ１’を連通させ、流体を噴出することができる。
【００４２】
総合すると、本発明の実施形態は、筋膜のトリガーポイント、および、経穴刺激器を提供し、筋膜のトリガーポイント、および、経穴刺激器は、流体噴出装置を連接し、ベース、および、少なくとも一つの接触部材を有する。ベースは、少なくとも一つの伝送チャネルを有する。接触部材は、可動で、ベース上に設置されるとともに、噴出チャネルを有し、且つ、接触部材は、閉位置と連通位置間で切り換え可能である。接触部材が、ベースに対して、閉位置から連通位置に移動するとき、接触部材の噴出チャネルは、伝送チャネルと非連通状態から、伝送チャネル連通状態に変化して、流体噴出装置が提供する流体を噴出することができる。
【００４３】
本発明の実施形態による少なくとも以下の一つの長所や効果は、接触部材の閉位置と連通位置間の切り換えにより、噴出チャネルと伝送チャネルを連通、あるいは、非連通にして、人体のトリガーポイント、経穴刺激の便利性を向上させるとともに、複数の可動の接触部材を設置する接触アセンブリが、人体皮膚表面への貼合性を増加させて、人体局部区域への噴出効果を向上させる。このほか、接触部材は、直接ベース上に設置されて、組み立ての難度とコストを減少させる。
【００４４】
本明細書、および、請求項中の序数、たとえば、“第一”、“第二”等は、これらの間に順序上の前後関係はなく、両者が、同じ名称の異なるアセンブリを区分するためだけに用いられる。
【００４５】
本発明では好ましい実施例を前述の通り開示したが、これらは決して本発明に限定するものではなく、当該技術を熟知する者なら誰でも、本発明の思想を脱しない範囲内で各種の変形を加えることができる。
【符号の説明】
【００４６】
１、１’、１’’、１’’’、１’’’’…筋膜のトリガーポイント、および、経穴刺激器
１０、１０’…ベース
１０１…ベース本体
１０２…固定管アセンブリ
１０２１…固定管
１０２１Ｒ…外表面
１０Ｆ’…ケーシング
２０、２０’…接触アセンブリ
２０１、２０１’…接触部材
２０１Ｃ…末端
２０１１…管体
２０１１’…可動管
２０１１１’…突出構造
２０１２…延伸部
２０１３’…隣接ユニット
３０…定位環アセンブリ
３１…上定位環
３２…下定位環
４０１…吸盤
９００…流体噴出装置（噴出装置）
９００’…搭載型流体噴出装置（噴出装置）
１０００…トリガーポイント、および、経穴刺激システム
Ｂ１…停止環
Ｂ２…密封環
Ｃ…中心軸
ＣＬ１、ＣＬ１’…伝送チャネル
ＣＬ２、ＣＬ２’…噴出チャネル
Ｄ１…第一方向
Ｄ２…第二方向
Ｅ、Ｅ’…弾性部材
Ｆ１、Ｆ２…力
Ｇ…ギャップ
ＩＷ…内壁
ＪＲ…噴出システム
ＳＰ…空間
ＳＳ…皮膚表面
Ｓ１…一側
Ｓ２…もう一側
【図１】
2022502123.tif 000003
【図２】
2022502123.tif 000004
【図３】
2022502123.tif 000005
【図４】
2022502123.tif 000006
【図５Ａ】
2022502123.tif 000007
【図５Ｂ】
2022502123.tif 000008
【図５Ｃ】
2022502123.tif 000009
【図５Ｄ】
2022502123.tif 000010
【図６】
2022502123.tif 000011
【図７】
2022502123.tif 000012
【図８】
2022502123.tif 000013
【図９】
2022502123.tif 000014
【図１０】
2022502123.tif 000015
【国際調査報告】
2022502123.tif 000016
2022502123.tif 000017
2022502123.tif 000018
2022502123.tif 000019
2022502123.tif 000020
2022502123.tif 000021